(57)【要約】【課題】電子メール本文に基づく文字メッセージの表示と添付ファイルに基づく画像の表示とを同時に行いながらも、それらをともに見やすく表示することを可能とする。【解決手段】ベースバンド処理部４は、電子メールの表示を行う場合、その電子メールに画像ファイルが添付されているならば、電子メールに基づく文字メッセージの表示と画像ファイルに基づく画像の表示とをＬＣＤ９にて同時に行わせる。そして文字メッセージは、自動的にスクロールさせながら表示させる。【選択図】　　図１
2004110242.tif 000002
【特許請求の範囲】
【請求項１】
任意の画像を表示する表示手段と、
添付ファイルが添付された電子メールを受信する受信手段と、
この受信手段により受信された前記電子メールを記憶する記憶手段と、
前記電子メールの表示を行う際に、その電子メールに添付された添付ファイルに画像ファイルが含まれるならば、前記画像ファイルに基づく画像表示を前記表示手段に行わせるとともに、前記電子メールに基づく文字メッセージの表示を自動的にスクロールさせつつ前記表示手段に行わせる制御手段とを具備したことを特徴とする携帯端末装置。
【請求項２】
前記電子メールの表示モードの指定を受け付ける受付手段を備え、
前記制御手段は、前記受付手段により前記表示モードを第１モードとする旨の指定が受け付けられている場合には前記の状態での表示を前記表示手段に行わせ、また前記受付手段により前記表示モードを第２モードとする旨の指定が受け付けられている場合には前記電子メールに基づく文字メッセージの表示と前記画像ファイルに基づく画像表示とを別々のタイミングにて前記表示手段に行わせることを特徴とする請求項１に記載の携帯端末装置。
【請求項３】
前記制御手段は、前記表示手段にて文字メッセージや画像の表示に使用可能な表示領域の一部をメッセージ領域としてここに前記電子メールに基づく文字メッセージを表示させ、残りの領域に前記画像ファイルに基づく画像を表示させることを特徴とする請求項１に記載の携帯端末装置。
【請求項４】
前記制御手段は、前記画像ファイルに基づく画像の前面に重ねて前記電子メールに基づく文字メッセージを表示させることを特徴とする請求項１に記載の携帯端末装置。
【請求項５】
前記制御手段は、前記電子メールに基づく文字メッセージを所定の色で縁取りして表示させることを特徴とする請求項４に記載の携帯端末装置。
【請求項６】
前記制御手段は、前記画像ファイルに基づく画像の表示領域と前記電子メールに基づく文字メッセージの表示領域とを同じとすることを特徴とする請求項４に記載の携帯端末装置。
【請求項７】
前記制御手段は、前記電子メールに基づく文字メッセージの表示を繰り返し前記表示手段に行わせることを特徴とする請求項１に記載の携帯端末装置。
【請求項８】
前記制御手段は、前記添付ファイルに複数の画像ファイルが含まれる場合に、この複数の画像ファイルのそれぞれに基づく画像表示を前記表示手段に順次行わせることを特徴とする請求項１に記載の携帯端末装置。
【発明の詳細な説明】
【０００１】
【発明の属する技術分野】
携帯電話機のような携帯端末装置は近年、音声通話機能にとどまらず、さまざまな機能を持つようになってきている。そのような機能の一つにメール機能がある。このメール機能は、初期の段階では文字列のみによるメッセージ交換のみが可能であった。しかし近年では、画像や音声などを表わすデータファイルを添付した電子メールを送受することも可能となっている。
【０００２】
このような添付ファイルを添付した電子メールに対応する携帯端末装置では従来、電子メールの表示を行う場合、その電子メールに画像ファイルが添付されているならば、電子メール本文に基づく文字メッセージの表示と画像ファイルに基づく画像の表示とをユーザ指示に応じて選択的に行うようにしている。このため、文字メッセージと画像とを同時に確認することはできない。
【０００３】
そこで、同一画面内に文字メッセージと画像とを上下に並べて表示することを可能とした携帯端末装置も存在する。しかしながらこの場合、限られた表示画面の多くの領域を画像の表示のために使用することが必要となるため、文字メッセージの表示領域が非常に小さくなってしまう。このため、表示文字数を減らすか、あるいは文字サイズを小さくしなければならなかった。
【０００４】
【発明が解決しようとする課題】
以上のように従来の携帯端末装置では、添付ファイルとして画像ファイルが添付された電子メールを表示する場合に、文字メッセージと画像とを同時に表示しようとすると、文字メッセージの表示領域が小さくなって非常に読みづらくなってしまうという不具合があった。
【０００５】
本発明はこのような事情を考慮してなされたものであり、その目的とするところは、電子メール本文に基づく文字メッセージの表示と添付ファイルに基づく画像の表示とを同時に行いながらも、それらをともに見やすく表示することが可能な携帯端末装置を提供することにある。
【０００６】
【課題を解決するための手段】
以上の目的を達成するために第１の本発明は、任意の画像を表示する表示手段と、添付ファイルが添付された電子メールを受信する受信手段と、この受信手段により受信された前記電子メールを記憶する記憶手段と、前記電子メールの表示を行う際に、その電子メールに添付された添付ファイルに画像ファイルが含まれるならば、前記画像ファイルに基づく画像表示を前記表示手段に行わせるとともに、前記電子メールに基づく文字メッセージの表示を自動的にスクロールさせつつ前記表示手段に行わせる制御手段とを備えた。
【０００７】
このような手段を講じたことにより、電子メールに基づく文字メッセージの表示とその電子メールの添付ファイルに基づく画像表示とが同一の表示手段にて同時になされるが、文字メッセージの表示は自動的にスクロールさせつつ行われる。従って、小さな領域で有効に文字メッセージの表示を行うことが可能となる。
【０００８】
また第２の本発明は、前記第１の発明に加えて、前記電子メールの表示モードの指定を受け付ける受付手段を備え、前記制御手段は、前記受付手段により前記表示モードを第１モードとする旨の指定が受け付けられている場合には前記の状態での表示を前記表示手段に行わせ、また前記受付手段により前記表示モードを第２モードとする旨の指定が受け付けられている場合には前記電子メールに基づく文字メッセージの表示と前記画像ファイルに基づく画像表示とを別々のタイミングにて前記表示手段に行わせることとした。
【０００９】
このような手段を講じたことにより、電子メールに基づく文字メッセージの表示とその電子メールの添付ファイルに基づく画像表示とを同時に行うか、あるいは別々に行うかがユーザ指定に応じて変更される。従って、電子メールの表示形態をユーザが任意に選択可能となる。
【００１０】
【発明の実施の形態】
以下、図面を参照して本発明の一実施形態につき説明する。
【００１１】
図１は本実施形態に係る携帯電話機のブロック図である。
【００１２】
図１に示すように本実施形態の携帯電話機は、メインアンテナ１、サブアンテナ２、無線部３、ベースバンド部４、モデム部５、メモリ部６、マルチメディアコーデック７、ＬＣＤコントローラ８、ＬＣＤ９、カメラモジュール１０、カメラインタフェースコネクタ１１、マイクロホン１２、レシーバ１３、ステレオヘッドセットジャック１４、入力部１５、サウンダ１６、バイブレータ１７、ＵＳＢインタフェースコネクタ１８および電源部１９を有する。
【００１３】
無線部３は、図示はしないが、送信部、デュプレクサ、アイソレータおよび２系統の受信部を有する。そして無線部３は、ベースバンド部４から出力される送信信号（ＨＰＳＫ変調信号）を、送信部で直交変調、アップコンバートおよび電力増幅を行った後、デュプレクサおよびアイソレータを経由してメインアンテナ１に供給し、このメインアンテナ１から図示しない基地局へ向けて送信させる。なお送信部は、高精度の送信利得制御を行うことができる。また無線部３は、図示しない基地局から送信された無線信号をメインアンテナ１およびサブアンテナによりそれぞれ受信して得られた２系統の受信信号を、２系統の受信部でそれぞれダウンコンバートおよび直交復調した上で、ベースバンド部４へと与える。なお、送信部でのアップコンバートや受信部でのダウンコンバートには、シンセサイザ部が発生するローカル信号が用いられる。
【００１４】
ベースバンド部４は、ＬＳＩにより構成される。そしてベースバンド部４は、無線部３へと与える送信信号や無線部３から与えられる受信信号に対するベースバンド信号処理を行う機能、通信制御や周辺回路制御などの制御処理を行う機能、ならびに音声の符号化／復号を行う機能を有する。
【００１５】
モデム部５は、ＬＳＩにより構成される。そしてモデム部５は、送信信号の変調や、受信信号の復調を行う。
【００１６】
メモリ部６は、ＳＲＡＭやＦＲＯＭを有する。そしてメモリ部６は、各種の設定情報、各種の受信データ、あるいは本装置で作成された各種の送信データなど、さまざまなデータを記憶保持する。
【００１７】
マルチメディアコーデック７は、３つの専用プロセッサコア、各処理専用のハードロジックコア、ならびに３つの専用プロセッサコアで共有する１６ＭビットＳＤＲＡＭを含んで構成されたＬＳＩよりなる。このマルチメディアコーデック７は、ホストＣＰＵに実装するＭＰＥＧ−４／Ｈ．３２４（Ａｎｎｅｘ　Ｃ）の制御ソフトウェアと連携して、ＭＰＥＧ−４／Ｈ．３２４（Ａｎｎｅｘ　Ｃ）を実現するブロックであり、ＭＰＥＧ−４ビデオ符号化処理、音声／オーディオ符号化処理、ならびにＨ．２２３多重分離処理を行う。
【００１８】
ＬＣＤコントローラ８は、ＬＳＩにより構成される。このＬＣＤコントローラ８は、マルチメディアコーデック７から与えられる画像データに対しての文字などの合成処理やＬＣＤ９の駆動を行う。
【００１９】
ＬＣＤ９は、反射型カラー液晶ディスプレイが用いられる。このＬＣＤ９は、ＬＣＤコントローラ８の駆動の下に任意の画像を表示する。このＬＣＤ９に表示される画像は、相手端末から送信される映像および自端末が送信している映像の他、端末状態を示す画像やその他のユーザに対して通知するべき任意の情報を示す画像などである。ＬＣＤ９は、電子メールの表示にも用いられる。
【００２０】
カメラモジュール１０は、カメラインタフェースコネクタ１１へと任意に装着が可能である。そしてカメラモジュール１０は、カメラインタフェースコネクタ１１へと装着された状態にて任意の被写体を撮影し、画像データを生成する。カメラモジュール１０は、生成した画像データをカメラインタフェースコネクタ１１を介してマルチメディアコーデック７へと与える。
【００２１】
マイクロホン１２は、ユーザが発声した送話音声などの周囲の音を電気信号に変換し、この電気信号を送話信号としてベースバンド部４へと与える。
【００２２】
レシーバ１３は、ベースバンド部４から与えられる受話信号や再生音声信号に基づき拡声出力を行う。
【００２３】
ステレオヘッドセットジャック１４は、ステレオ対応のヘッドセット（図示せず）を接続するためのものである。このステレオヘッドセットジャック１４は、ヘッドセットが接続されているときに、ヘッドセットから出力される送話信号をベースバンド部４へと与えるとともに、ベースバンド部４から出力される受話信号や再生音声信号をヘッドセットへと与える。
【００２４】
入力部１５は、ダイヤルキー、発信キー、電源キー、終了キー、音量調節キー、モード指定キーなどのキー群を有している。そしてこの入力部１５は、これらのキーの押下によるユーザ指示を入力する。
【００２５】
サウンダ１６は、着信音、キー確認音をベースバンド部４の制御の下に出力する。
【００２６】
バイブレータ１７は、着信通知などのための振動動作をベースバンド部４の制御の下に行う。
【００２７】
ＵＳＢインタフェースコネクタ１８は、外部機器を接続するためのものである。このＵＳＢインタフェースコネクタ１８に接続された外部機器とベースバンド部４との間でデータの授受を行うことが可能である。
【００２８】
電源部１９は、ＡＬＢ電池１９ａ、充電回路１９ｂおよびレギュレータ１９ｃを有する。この電源部１９は、各部に必要な電源を供給する。また電源電圧が規定値以下になった時にシステム全体へリセット信号を送出する機能やメモリ部６内のＳＲＡＭのバックアップ機能も有する。
【００２９】
ところでベースバンド部４は、例えば音声通話機能などのような携帯電話機における周知の一般的な機能を実現するための制御処理を行う手段の他に、制御手段４ａおよび受付手段４ｂとして動作する。ここで制御手段４ａは、後述するメール表示制御を実行し、特別な形態でのメール表示を実現する。受付手段４ｂは、制御手段４ａに上記特別な形態でのメール表示を行わせるか否かのユーザ指定を受け付ける。
【００３０】
次に以上のように構成された携帯電話機の動作につき説明する。なお、音声通話機能などのような携帯電話機における一般的な機能を実現するための処理や、電子メールの送受信の処理は従来と同様であるのでその説明は省略する。そしてここでは、電子メールの表示に関する動作につき詳しく説明する。
【００３１】
まず、電子メールの表示がユーザにより要求されたならばベースバンド部４は、図２に示すようなマルチメディアファイル再生処理を実行する。
【００３２】
このメール表示制御においてベースバンド部４はまず、例えば図３（ｂ）に示すような第１メニューをＬＣＤ９に表示させた上で、そのメニュー内での項目の指定を受け付ける（ステップＳＴ１）。図３（ｂ）に示すように、第１メニューはメモリ部６に記憶されている電子メールの一覧を示し、それらの電子メールのいずれを表示するかの指定を行わせるメニューである。そこでベースバンド部４は、指定された電子メールを表示対象メールに設定する。
【００３３】
続いてベースバンド部４は、自動演奏設定がＯＮとなっているか否かを確認する（ステップＳＴ２）。自動演奏設定は、携帯電話機の機能設定の１つであって、別の図示しない機能設定処理にて例えば図３（ａ）に示すような設定画面によるユーザ指定にて任意のＯＮまたはＯＦＦとされる。この自動演奏設定がＯＮとされていることを確認したならばベースバンド部４は次に、表示対象メールに音声ファイルが添付されているか否かを確認する（ステップＳＴ３）。そして音声ファイルが添付されていることを確認したならばベースバンド部４は、その音声ファイルに基づく音声再生を開始する（ステップＳＴ４）。
【００３４】
このように音声再生を開始した後、あるいは自動演奏設定がＯＦＦとなっていることをステップＳＴ２で確認するか、音声ファイルが添付されていないことをステップＳＴ３で確認した場合、ベースバンド部４は続いてテロップ表示設定がＯＮとなっているか否かを確認する（ステップＳＴ５）。テロップ表示設定は、自動演奏設定と同様な機能設定の１つであって、別の図示しない機能設定処理にて例えば図３（ａ）に示すような設定画面によるユーザ指定にて任意のＯＮまたはＯＦＦとされる。このテロップ表示設定がＯＮとされていることを確認したならばベースバンド部４は、表示対象メールに画像ファイルが添付されているか否かを確認する（ステップＳＴ６）。そして画像ファイルが添付されていることを確認したならばベースバンド部４は、その画像ファイルに基づく画像表示を開始する（ステップＳＴ７）。さらに続いてベースバンド部４は、表示対象メールのメール本文に関するテロップ表示を開始する（ステップＳＴ８）。
【００３５】
このように、画像の表示およびメール本文のテロップ表示が開始された後のＬＣＤ９での表示例を図３（ｃ）に示す。この図３（ｃ）に示すようにベースバンド部４は、ＬＣＤ９の表示画面内にそれぞれ独立して設定された画像領域およびメッセージ領域に、画像ファイルに基づく画像とメール本文に基づく文字メッセージとをそれぞれ表示させる。画像は、画像ファイルが示す画像をそのままのサイズで表示させてもよいし、あるいは画像領域内に収まるように拡大・縮小して表示させてもよい。また画像は、動画および静止画のいずれでもよい。一方、本実施形態では、メッセージ領域には文字メッセージ１行分に相当する領域を割り当てている。そしてベースバンド部４は、メール本文に基づく文字メッセージを、その先頭から末尾までメッセージ領域内で横方向にスクロールさせつつ表示させることで、テロップ表示を実現する。なお、文字メッセージの末尾までを表示し終えたならばベースバンド部４は、同じ文字メッセージの先頭からの表示を再度行う。すなわち、同じ文字メッセージを繰り返し表示する。
【００３６】
ところで、表示対象メールに画像ファイルが添付されていないことをステップＳＴ６にて確認した場合にベースバンド部４は、ステップＳＴ７を行わずにステップＳＴ８に移行し、表示対象メールのメール本文に関するテロップ表示を開始する。すなわち、図２（ｃ）の画像領域を無表示とした状態で、メッセージ領域における文字メッセージの表示を行う。
【００３７】
さて、テロップ表示設定がＯＦＦとされていることをステップＳＴ５にて確認した場合にベースバンド部４は、表示対象メールのメール本文に基づく文字メッセージの表示を通常の形態で表示する。通常の形態での文字メッセージの表示とは、例えばＬＣＤ９の表示画面内の任意画像の表示領域の全域を利用して、文字メッセージを複数行同時に表示することである。
【００３８】
このようにして、ステップＳＴ８またはステップＳＴ９で文字メッセージの表示を開始した後にベースバンド部４は、何らかのキー操作が入力部１５にて行われるのを待ち受ける（ステップＳＴ１０）。ここでキー操作が行われたことを確認したならばベースバンド部４は、そのキー操作がサブメニューの表示、メール選択状態への戻り、ならびにメール表示の終了のいずれを指定するものであるかの確認を行う（ステップＳＴ１１乃至ステップＳＴ１３）。そして、いずれにも該当しないことを確認した場合にはベースバンド部４は、今回なされたキー操作は無視して、処理をステップＳＴ１０に戻す。
【００３９】
しかしながら、サブメニューの表示を指示するキー操作がなされたことをステップＳＴ１１で確認したならばベースバンド部４は、例えば図３（ｄ）に示すような第２メニューをＬＣＤ９に表示させた上で、そのメニュー内での項目の指定を受け付ける（ステップＳＴ１４）。図３（ｄ）に示すように、第２メニューは電子メールに関する各種機能の一覧を示し、その各種機能のうちのいずれかの指定を行わせるメニューである。そこで項目指定がなされたならばベースバンド部４は、その指定された項目が「添付ファイル切替」であるか否かを確認する（ステップＳＴ１５）。もし、指定された項目が「添付ファイル切替」ではないことを確認したならば、ベースバンド部４は指定された項目に応じた処理（図示せず）へ移行する。しかしながら、指定された項目が「添付ファイル切替」であることを確認したならばベースバンド部４は、例えば図３（ｅ）に示すような第３メニューをＬＣＤ９に表示させた上で、そのメニュー内での項目の指定を受け付ける（ステップＳＴ１６）。図３（ｅ）に示すように、第３メニューは表示対象メールに添付されたファイルのタイトルの一覧を示し、それらのファイルのうちのいずれかの指定を行わせるメニューである。そこでいずれかのファイルの指定がなされたならばベースバンド部４は、その指定されたファイルが画像ファイルであるか否かを確認する（ステップＳＴ１７）。
【００４０】
ここで指定されたファイルが画像ファイルであることを確認したならばベースバンド部４は、指定された画像ファイルに基づく画像の表示を開始する（ステップＳＴ１８）。これにより、例えば図３（ｆ）に示すように、表示画像が変更される。このとき、文字メッセージの表示はステップＳＴ１０に確認されたキー操作が行われた時点の状態から継続して行う。なお、文字メッセージの通常表示が行われていたのであれば、これに代えて画像が表示されることになる。すなわち、表示対象が文字メッセージから画像に変更されるのである。
【００４１】
これに対して、指定されたファイルが画像ファイルではないことをステップＳＴ１７にて確認したならばベースバンド部４は、指定された音声ファイルに基づく音声再生を開始する（ステップＳＴ１９）。これにより、再生される音声が変更される。そして続いてベースバンド部４は、ＬＣＤ９での表示をステップＳＴ１０に確認されたキー操作が行われた時点の状態、すなわち例えば図３（ｃ）に示す状態に戻し、その状態から表示を継続する（ステップＳＴ２０）。
【００４２】
ステップＳＴ１８の処理またはステップＳＴ２０の処理を終えたならばベースバンド部４は、ステップＳＴ１０の待ち受け状態に戻る。
【００４３】
ところで、メール選択状態への戻りを指定するキー操作がなされたことをステップＳＴ１２にて確認したならばベースバンド部４は、処理をステップＳＴ１に戻し、移行の処理を前述のように行う。
【００４４】
また、メール表示の終了を指定するキー操作がなされたことをステップＳＴ１３にて確認したならばベースバンド部４は、メール表示に関するＬＣＤ９での表示を停止させ（ステップＳＴ２１）、これをもってメール表示制御を終了する。
【００４５】
以上のように本実施形態によれば、電子メール本体に基づく文字メッセージの表示を、自動的にスクロールさせながら行うようにしているので、図３（ｄ）に示すような小さな表示領域でのテロップ表示であっても、読みやすい表示とすることが可能である。従って、画像表示を同時に行うことが可能で、かつそのための領域を十分に大きく確保して画像も見やすく表示することが可能である。
【００４６】
また本実施形態によれば、文字メッセージの表示をテロップ表示および通常表示のいずれで行うかをユーザが任意に設定できるので、ユーザニーズに応じた柔軟な形態での使用が可能となる。
【００４７】
また本実施形態によれば、画像領域とメッセージ領域とを別々に設定しているので、文字メッセージと画像とが重なることがなく、これによりより見やすい表示が実現される。
【００４８】
なお、本発明は上記実施形態に限定されるものではない。例えば上記実施形態では、複数の画像ファイルが添付されている場合、ユーザによる指示に応じて表示する画像を変更することとしているが、その複数の画像を自動的に順次表示するようにしても良い。この場合例えば、静止画は一定時間の表示を行ったならば別の画像の表示に移行することとし、動画は最後までの表示を終了したならば別の画像の表示に移行することが考えられる。またこのとき、全ての画像ファイルに基づく画像表示が終了したならば、表示済みの画像ファイルに基づく画像表示を再度行うことで画像表示を継続することとしても良い。これらにより、画像変更にかかるユーザの手間を省くことが可能となる。なお、音声ファイルに基づく音声再生についても同様のことを行うことが可能である。
【００４９】
また上記実施形態では、画像領域とメッセージ領域とを別々に設定し、文字メッセージと画像とを別々に表示しているが、例えば図４に示すように、画像の前面に重ねる状態で文字メッセージの表示を行うことも可能である。あるいは図５に示すように、画像の表示範囲と文字メッセージの表示範囲とを同一とし、複数行の文字メッセージを例えば縦方向にスクロールさせるようにしても良い。このようにすれば、画像の表示領域を大きくすることが可能であり、画像をより大きく表示することが可能となる。また後者の方法によれば、文字メッセージの表示量も多くすることが可能であり、読みやすくすることができる。なお、このように画像に重ねて文字メッセージを表示させる場合、例えば白などの所定の色で文字を縁取りして表示すると、文字を読みやすくすることが可能である。
【００５０】
また、テロップ表示設定がＯＮであっても、画像ファイルが添付されていないならば文字メッセージを通常表示するようにしても良い。
【００５１】
また上記実施形態では、Ｗ−ＣＤＭＡ方式の携帯電話機を例示しているが、他の方式の移動通信端末であっても良いし、あるいはＰＨＳ端末のような他種の移動通信端末であっても良い。
【００５２】
このほか、本発明の要旨を逸脱しない範囲で種々の変形実施が可能である。
【００５３】
【発明の効果】
第１の本発明によれば、電子メールに基づく文字メッセージの表示とその電子メールの添付ファイルに基づく画像表示とが同一の表示手段にて同時に行うこととし、かつ文字メッセージの表示は自動的にスクロールさせつつ行うようにしたので、小さな領域で有効に文字メッセージの表示を行うことが可能となり、この結果、電子メール本文に基づく文字メッセージの表示と添付ファイルに基づく画像の表示とを同時に行いながらも、それらをともに見やすく表示することが可能な携帯端末装置となる。
【００５４】
また第２の本発明によれば、さらに電子メールに基づく文字メッセージの表示とその電子メールの添付ファイルに基づく画像表示とを同時に行うか、あるいは別々に行うかをユーザ指定に応じて変更することとしたので、電子メールの表示形態をユーザが任意に選択可能となり、ユーザが見やすい形態での表示を行うことが可能な携帯端末装置となる。
【図面の簡単な説明】
【図１】本発明の一実施形態に係る携帯電話機のブロック図。
【図２】メール表示制御のフローチャート。
【図３】ＬＣＤ９での表示画面の例を示す図。
【図４】文字メッセージおよび画像の表示形態の変形例を示す図。
【図５】文字メッセージおよび画像の表示形態の変形例を示す図。
【符号の説明】
１…メインアンテナ
２…サブアンテナ
３…無線部
４…ベースバンド部
４ａ…制御手段
４ｂ…受付手段
５…モデム部
６…メモリ部
７…マルチメディアコーデック
８…ＬＣＤコントローラ
９…ＬＣＤ
１５…入力部
【図１】
2004110242.tif 000003
【図２】
2004110242.tif 000004
【図３】
2004110242.tif 000005
【図４】
2004110242.tif 000006
【図５】
2004110242.tif 000007